(57)【特許請求の範囲】
【請求項１】
片持ち状態で外開きとされる障子の揺動支点を当該障子の開閉に伴わせて窓枠の上枠及び／又は下枠方向に沿って移動自在に保持するスライダーに対し障子開動時に当該スライダーが進出する先方へ向けて延出して設けられる連動バーと、
前記窓枠の上枠及び／又は下枠方向に沿って前記スライダーから見たときに前記障子を前記窓枠に対して開閉自在に支持するメインアームの前記窓枠側の接地側支点を超えた位置に設けられるストッパ装置と、
を有しており、
前記ストッパ装置は、前記障子が全閉時と全開時との間にあるときの前記連動バーの側面に押し付け付勢されるストッパ部材と、
前記ストッパ部材を前記連動バーに押し付け付勢される状態に保持して前記連動バーが移動不能に拘束されるようにする連動バー拘束状態と前記ストッパ部材を前記連動バーから離して前記連動バーが移動自在に保持されるようにする連動バー解放状態とを切り換える解放操作部と、
を有し、
前記連動バーは前記ストッパ装置を通り抜ける長さに形成されている
ことを特徴とする辷り出し窓の開度設定装。
【請求項２】
前記ストッパ装置は、前記スライダーと一体的に移動する前記連動バーに対してその側面に当接するか又は微少隙間を介して近接する制振部を有していることを特徴とする請求項１記載の辷り出し窓の開度設定装置。
【請求項３】
前記連動バーには、前記ストッパ装置が前記ストッパ部材を押し付けるときに当該ストッパ部材の先端を嵌め入れる閂孔が形成されていることを特徴とする請求項１又は請求項２記載の辷り出し窓の開度設定装置。
【請求項４】
前記解放操作部は全閉時の前記障子よりも手前側に配置されていることを特徴とする請求項１乃至請求項３のいずれか１項に記載の辷り出し窓の開度設定装置。
【発明の詳細な説明】
【技術分野】
【０００１】
本発明は、窓枠に対し、障子（窓などの面材）を片持ち状態で外開き（揺動開閉）自在に取り付ける場合において、障子の開度を全開位置と全閉位置との中間位置に（半開き状態に）保持できるようにした辷り出し窓の開度設定装置に関する。
なお、本明細書において「外開き」は、障子に正対する者（開閉の操作をする者）から見て、障子を超えた外側を言う。但し、この外側は、必ずしも「屋外」や「室外」を限定するものではない。例えば、屋内や室内を仕切る仕切り壁等に障子が設けられている場合では、この障子の外側は屋内や室内であることもある。
【０００２】
また、「中間位置」は、障子が全開位置と全閉位置との中心で停止することを限定するものではなく、全開位置と全閉位置との間であってこれら２位置を除く任意の位置を言うものとする。
【背景技術】
【０００３】
辷り出し窓は、窓枠の上枠や下枠に対してスライダーを左右方向へ移動自在に設けておき、このスライダーに障子の揺動支点を接合した構造を有している。スライダーの左右移動を案内するガイドレールの一端側と障子との間はアーム材によってリンク接合してある。そのため、障子を揺動開閉するのに伴い、障子の開度に応じてスライダーが左右移動するものである。
【０００４】
従来、この種の辷り出し窓において、障子の開度を中間位置で停止できる（半開き状態に維持できる）ようにしたものが提案されている（特許文献１，２参照）。
特許文献１に記載の技術では、スライダー（文献内では「往復座４」と呼称）に対し、その上方へ突出する状態に係止部品（文献内では「ロックピン１８」と呼称）をバネ付勢して設けると共に、スライダーの上方へ被せるように設けた板材（文献内では「頂壁２２」と呼称）に対し、係止部品が係合する係止孔（文献内では「ロック孔２３ａ，２３ｂ」と呼称）を設けた構造としてある。すなわち、スライダーが係止孔に対応した位置に到達すると、係止部品が係止孔に係合してスライダーが移動不能とされ、障子の開度を中間位置で停止できるという仕組みであった。なお、中間位置で停止させた障子を全閉又は全開させる際には、係止孔に係合した係止部品を係合孔の上から押し下げて係合を外すものと説明されている。
【０００５】
特許文献２に記載の技術では、スライダーに対し、ガイドレールの内側の立面（文献内では「第１案内板部１ｄ」と呼称）へ向く方向へ横突出する状態に係止部品（文献内では「ストッパ５１」と呼称）をバネ付勢して設けると共に、ガイドレールの内側の立面に係止部品が係合する係止孔（文献内では「切欠き５３」と呼称）を設けたものである。作用的には、係止部品の突出方向（バネ付勢方向）が異なるだけで、その他は特許文献１と略同じである。
【先行技術文献】
【特許文献】
【０００６】
【特許文献１】実開平８−９６３号公報（［００１６］〜［００１７］及び図２〜図４参照）
【特許文献２】特開平９−４１７７０号公報（［００５５］、［００５８］及び図１４〜図１６参照）
【発明の概要】
【発明が解決しようとする課題】
【０００７】
障子には、屋外へ向けられる面に強風が吹き付けたとき等に発生する負圧を原因として、屋外側へ強い力で引っ張られる作用が生じることは周知である。このような屋外側への引っ張り作用に対して、障子は、全閉状態のときであれば障子の全周を取り囲む窓枠や全閉状態を保持するロック装置などに保護され、ある程度の耐力は有している。しかしながら、障子が半開き状態や全開状態のときに屋外側への引っ張り作用が生じると、この作用が障子に連結されたリンク機構やスライダーに伝わるようになる。
【０００８】
従来提案に係る障子の中間停止技術では、前記したようにスライダー自体に係止部品を設けることで、スライダーの左右移動を停止させる構造であったため、障子に生じた外側への引っ張り作用がスライダーにも伝わると、この作用が係止部品や、この係止部品と係止孔との係合部分にも派生することになる。これに伴い、係止部品と係止孔との係合状態が無理矢理解除されることがあり、障子が風に煽られて全開位置や全閉位置へ叩きつけられて衝撃音や振動を発生させることがあった。
【０００９】
更に、この際、係止部品をはじめ、スライダーやガイドレール、ひいては窓枠や障子に変形や欠損等が発生したり、甚だしい場合には障子に嵌められたガラスや窓枠周りの壁材などに亀裂や破損が発生したりするおそれがあった。結果として、障子に生じた屋外側への引っ張り作用に対して、従来提案に係る障子の中間停止技術は耐力の弱いもの，或いは耐力のないものであったと言わざるを得ない。
【００１０】
加えて、係止部品と係止孔との係合状態を解除するには、窓枠に対し、ガイドレールの中間位置に停止しているスライダーの位置まで手を差し入れなければならず、しかも係止孔から係止部品が突出している部位が小さくて見つけにくい箇所であることなども要因となって、解除操作がとてもやり難いという問題があった。また、場合によっては障子と窓枠との間、リンク機構とスライダーとの間、スライダーとガイドレールとの間などで指を詰めるおそれもあった。
【００１１】
本発明は、上記事情に鑑みてなされたものであって、辷り出し窓において、障子の開度を全開位置と全閉位置との中間位置に（半開き状態に）保持できるようにするうえで、障子の開閉操作はもとより、中間位置への停止状態を解除する操作が極めて円滑且つ容易に行えるようにし、また障子に生じた外側（屋外や室外には限定されない）への引っ張り作用に対して破損等の不具合が起こらないようにできる辷り出し窓の開度設定装置を提供することを目的とする。
【課題を解決するための手段】
【００１２】
前記目的を達成するために、本発明は次の手段を講じた。
即ち、本発明に係る辷り出し窓の開度設定装置は、片持ち状態で外開きとされる障子の揺動支点を当該障子の開閉に伴わせて窓枠の上枠及び／又は下枠方向に沿って移動自在に保持するスライダーに対し障子開動時に当該スライダーが進出する先方へ向けて延出して設けられる連動バーと、前記窓枠の上枠及び／又は下枠方向に沿って前記スライダーから見たときに前記障子を前記窓枠に対して開閉自在に支持するメインアームの前記窓枠側の接地側支点を超えた位置に設けられるストッパ装置と、を有しており、前記ストッパ装置は、前記障子が全閉時と全開時との間にあるときの前記連動バーの側面に押し付け付勢されるストッパ部材と、前記ストッパ部材を前記連動バーに押し付け付勢される状態に保持して前記連動バーが移動不能に拘束されるようにする連動バー拘束状態と前記ストッパ部材を前記連動バーから離して前記連動バーが移動自在に保持されるようにする連動バー解放状態とを切り換える解放操作部と、を有し、前記連動バーは前記ストッパ装置を通り抜ける長さに形成されていることを特徴とする。
【００１３】
前記ストッパ装置は、前記スライダーと一体的に移動する前記連動バーに対してその側面に当接するか又は微少隙間を介して近接する制振部を有したものとすることができる。
前記連動バーには、前記ストッパ装置が前記ストッパ部材を押し付けるときに当該ストッパ部材の先端を嵌め入れる閂孔が形成されたものとするのが好適である。
前記解放操作部は全閉時の前記障子よりも手前側に配置されたものとすることができる。
【発明の効果】
【００１４】
本発明に係る辷り出し窓の開度設定装置は、障子の開度を全開位置と全閉位置との中間位置に保持できるようにするうえで、障子の開閉操作はもとより、中間位置への停止状態を解除する操作が極めて円滑且つ容易に行えるものであり、また障子に生じた外側への引っ張り作用に対して破損等の不具合を未然に防止することができる。
【図面の簡単な説明】
【００１５】
【図１】本発明装置を辷り出し窓に実施した状況を外側から示した斜視図（図２（ａ）の矢符Ａ方向から見た図）である。
【図２】図２（ｂ）のＢ−Ｂ線断面図である。
【図３】本発明装置を実施した辷り出し窓の開閉装置において障子を中間位置で停止させた状態を示した平面図である。
【図４】本発明装置を実施した辷り出し窓の開閉装置において障子を全閉させた状態を示した平面図である。
【図５】図３の矢符Ｃ方向からストッパ装置を示した斜視図である。
【図６】ストッパ装置を拡大して示す平面図である。
【図７】図３のＣ−Ｃ線断面図である。
【図８】図４のＤ−Ｄ線断面図である。
【発明を実施するための形態】
【００１６】
以下、本発明の実施の形態を、図面に基づき説明する。
図１乃至図８は、本発明に係る辷り出し窓の開度設定装置１（以下、「本発明装置１」と言う）の一実施形態を示している。本実施形態では、図２（ａ）によって明らかなように、窓枠２から開き勝手を「右」にして片持ちの状態で外開きに保持された障子３（面材であって図例ではガラスＧを備えた窓としている）を例示してあり、このなかで本発明装置１は、障子３を揺動開閉させるための開閉装置４に対して適用したものとしてある。
【００１７】
開閉装置４及び本発明装置１は、図２（ｂ）から明らかなように、窓枠２の上枠下面と障子３の上框上面との上下隙間、及び窓枠２の下枠上面と障子３の下框下面との上下隙間、の上下２箇所に設けられている。
なお、上下の開閉装置４，４及び上下の本発明装置１，１は、互いに上下対称となる部品形状及び配置を有して構成されているが、窓枠２に対して障子３を開閉させる作用としては上下対称となる点を除いて同じである。そこで以下では、主として下部側に配置する開閉装置４及び本発明装置１（図１参照）について説明する。
【００１８】
まず、開閉装置４について説明する。図３及び図４に示すように、この開閉装置４は、窓枠２の上枠や下枠の長手方向（障子３を全閉状態にして障子３に正対したときの左右方向に略同じ）に沿って移動自在に設けられたスライダー１０と、このスライダー１０に対して水平揺動自在にリンク接合された作動カム１１と、この作動カム１１に対して水平揺動自在にリンク接合された障子側アーム１２と、一端部を接地側（窓枠２側）で他端部を障子側アーム１２とするようにして水平揺動自在にリンク接合させたメインアーム１３と、一端部をメインアーム１３で他端部を作動カム１１とするようにして水平揺動自在にリンク接合させた補助アーム１４とを有している。
【００１９】
このように、作動カム１１、障子側アーム１２、メインアーム１３、補助アーム１４は四節リンク機構を構成しており、メインアーム１３の接地側支点１７を［静止点］、揺動させる障子側アーム１２を［原動節］として、作動カム１１と補助アーム１４とのリンク接合点又はその近傍に設けたスライダー１０を左右移動する［従動節］とさせるものである。そして、障子３は、障子側アーム１２に設けられた結合孔１６を利用してこの障子側アーム１２の長手方向と平行するように取り付けられている。
【００２０】
なお、図２（ｂ）に示すように、障子３には、その内側であって、且つ開閉装置４が配置されるのとは左右方向の逆側となる位置に、開閉操作をし易くするための把手２０が設けられている。
要するに、この障子３は、障子側アーム１２と作動カム１１とがリンク接合された部位を揺動支点１８として揺動自在に保持される状態にある。しかしながら障子側アーム１２は、メインアーム１３が接地側支点１７のまわりで揺動する範囲を逸脱しないように拘束されている（係留状態にある）。そのため、障子３を全閉状態（図２参照）から外側へ押し開く際には、障子側アーム１２が揺動すればするほど、障子側アーム１２の揺動支点１８はメインアーム１３の接地側支点１７へ引き寄せられる現象が起こる。その結果、作動カム１１からスライダー１０に力が伝搬してスライダー１０がメインアーム１３の接地側支点１７へ接近する方向へ移動するようになる。
【００２１】
当然のことながら、障子３が中間位置での停止状態又は全開状態にあるときに、この障子３を手前側（内側）に引き寄せて、閉める際には、障子側アーム１２が揺動すればするほど、障子側アーム１２の揺動支点１８はメインアーム１３の接地側支点１７から押し出される現象が起こる。その結果、作動カム１１からスライダー１０に力が伝搬してスライダー１０がメインアーム１３の接地側支点１７から遠ざかる方向へ移動するようになる。
【００２２】
このように、障子３を揺動開閉するのに伴い、障子３の開度に応じてスライダー１０が障子３の揺動支点１８を窓枠２の上枠や下枠方向（左右方向）へ移動する。
なお、この開閉装置４は、スライダー１０の移動範囲をその全長にわたって支持する長さのベース部材２３を有しており、このベース部材２３には、スライダー１０の移動をガイドするためのガイドレール部材２４と、ガイドレール部材２４の端部位置でスライダー１０の停止状態を保障するための負圧受け部材２５とが設けられている。また、このベース部材２３によってメインアーム１３の接地側支点１７が不動に保持されている。
【００２３】
ガイドレール部材２４は、ベース部材２３の片側の長辺部に沿って起立し、また起立した上端にはスライダー１０の上方へ向けて張り出すように庇部材が設けられており、その端面形状が倒立したＬ字状に形成されている。
負圧受け部材２５は、障子３の全閉時にスライダー１０の一部上面を抑え込むように係合するようになっており、障子３が負圧など受けたときにスライダー１０に浮上やガタツキが生ずるのを防止するものである。
【００２４】
本発明装置１は、このような構成の開閉装置４（詳細構造全てが限定されるものではなく障子３を開閉するための基本的な構成を言う）が備えるスライダー１０に対して設けられる連動バー２７と、この連動バー２７の側面に対応するように窓枠２側に設けられるストッパ装置２８とを有している。
連動バー２７は、障子３を開動させるときのスライダー１０の移動時に、スライダー１０が進出する先方（図３では左方に該当）へ向けて延出するようにして設けられている。この連動バー２７の形成素材は特に限定されるものではないが、例えば帯幅の細い金属製（鉄やステンレス等）の硬質帯板などによって形成することで、曲がりなどに対して強い耐性を持たせることができるため、好適と言える。
【００２５】
この連動バー２７には、ストッパ装置２８内を通過する領域（スライダー１０のストローク相当）に、バー長手方向に沿って互いに間隔を開けながら複数の閂孔３０が設けられている。閂孔３０が設けられる位置や個数は、障子３を中間停止させようとする開度や停止箇所数に応じて設定されている。これら閂孔３０は、窓枠２における内外方向（前後方向）で連動バー２７を貫通したものとされている。
【００２６】
ストッパ装置２８は、スライダー１０から見てメインアーム１３の接地側支点１７を超えた位置に配置されている。従って、障子３の開閉に伴ってスライダー１０が左右移動するときには、このストッパ装置２８に対して連動バー２７が往復の通過動作を生じるようになっている。
このストッパ装置２８は、図５及び図６に示すように、ブラケット部材３２を下敷きにして角筒形のストッパケース３３が載設された構成とされている。このストッパケース３３内に、後述のストッパ部材４３（図７及び図８参照）が装填されている。また、このストッパ装置２８には、ストッパケース３３の上面を突き抜けて上方へ突出する解放操作部３４が設けられている。
【００２７】
ブラケット部材３２は、窓枠２等に取り付ける際に取付ネジ３８を挿通させるのに用いる取付ベース３５と、連動バー２７の通過部分を抱き込むように壁状に立ち上がる制振部３６と、この制振部３６から連動バー２７の上面に被さるように水平方向へ張り出した覆蓋部３７とを有している。
これに対し、ストッパケース３３は、角筒形の筒軸を連動バー２７の通過方向（バー長手方向に同じ）と直交させる方向にして配置されたものであって、図７及び図８に示すように、連動バー２７に臨む側の端部は開放され、これとは反対側の端部はバネ受け壁４１によって閉鎖されている。なお、本実施形態では、ストッパケース３３の開放端において下面部に比べて天井部の方がオーバーハング状に張り出すものとされて、この張り出した天井部分で連動バー２７の上方を覆い被さるようにしてある。
【００２８】
このストッパケース３３は、ブラケット部材３２を取付ネジ３８で窓枠２等へ固定する際に、この取付ネジ３８を利用してブラケット部材３２と共に窓枠２等に固定される。
なお、本実施形態では、ブラケット部材３２及びストッパケース３３がいずれも金属製板素材の折り曲げによって形成されたものとして図示したが、これに限定されず、金属素材（鉄やアルミ、真鍮など）の鋳造品としたり、溶接やネジ止めなどにより複数部品を組み立てる構成としたりしてもよい。
【００２９】
ストッパケース３３内には、バネ受け壁４１に当て止めされるコイルバネ４２と、このコイルバネ４２によりストッパケース３３の開放端から押し出される向きに付勢されるストッパ部材４３とが装填されている。
ストッパ部材４３は、ストッパケース３３内でガタツキなく摺動自在となる形状の摺動体部４５と、この摺動体部４５から連動バー２７へ向けて一体的に突設された棒状の閂４６とを有している。なお、閂４６には丸棒や角棒を用いればよいが、場合によってはパイプ等の中空材やＬ型、Ｃ型、Ｈ型等の条材を用いてもよい。
【００３０】
ストッパ部材４３の摺動体部４５には、ストッパケース３３の天井部を貫通して上方へ突出する従動軸４７が設けられており、この従動軸４７には、ストッパケース３３を突き抜けた部分に円盤状のカムフォロワー４８が取り付けされている。なお、ストッパケース３３の天井部には、従動軸４７が貫通する部分に、長手方向をストッパケース３３の筒軸方向に合わせた長孔４９が形成されている（図５及び図６参照）。
【００３１】
そのため、従動軸４７及びカムフォロワー４８はストッパケース３３の筒軸方向に沿って移動自在となっており、これら従動軸４７及びカムフォロワー４８の移動と共に、ストッパケース３３内ではストッパ部材４３（摺動体部４５及び閂４６）も移動自在となっている。
なお、ストッパ部材４３は、コイルバネ４２による付勢力を受けているので、常に、ストッパケース３３から突出する作用（連動バー２７の側面に向けて進出する作用）が付与されたものとなっている。従って、ストッパ部材４３の先端（閂４６）と連動バー２７の閂孔３０とが一致したときには、ストッパ部材４３の先端が蓋然的に連動バー２７の閂孔３０に嵌り込み、この嵌り込み状態が維持されるようになる。これにより、連動バー２７は移動不能な状態に拘束される。
【００３２】
解放操作部３４は、ストッパケース３３上に設けられたカムフォロワー４８に対して当接又は近接する状態で隣接配置されるカム５２と、このカム５２を回転させるカム駆動軸５３と、このカム駆動軸５３の上端部に設けられた操作レバー５４とを有している。カム５２は、図６に示すように半円形の偏心位置にカム駆動軸５３を結合させた所謂「偏心カム」である。
【００３３】
すなわち、操作レバー５４を９０°程度回転操作すると、カム５２が回転してカムフォロワー４８との当接度合いを次第に高めるようになり、これによりカムフォロワー４８が長孔４９に沿って押し退けられるようになるので、このカムフォロワー４８の移動に伴ってストッパ部材４３もコイルバネ４２のバネ力に抗しつつ、同方向に押し退けられるものである。
【００３４】
このような、ストッパ部材４３の押し退け方向の移動が、連動バー２７に押し付け付勢されるストッパ部材４３を連動バー２７から離す方向へ動作させることになる。当然に、連動バー２７の閂孔３０にストッパ部材４３の先端（閂４６）が嵌った状態でストッパ部材４３が押し退け方向へ移動された場合は、閂孔３０からストッパ部材４３が外れるようになる。従って、連動バー２７が移動自在な状態に解放される。
【００３５】
なお、本実施形態では、ストッパケース３３の天井部分とブラケット部材３２の覆蓋部３７との上下間にカム５２を挟持する隙間が形成されるようにして、この隙間内でカム５２が傾きやガタツキを生じずに安定的に回転するようにしてある。
次に、図２に示した障子３の全閉状態から、障子３の把手２０を持つなどして障子３を押し開く場合について、開閉装置４の動作に伴う本発明装置１の動作状況を説明する。
【００３６】
障子３を揺動させることでスライダー１０が移動しはじめると、ストッパ装置２８ではスライダー１０と一体的に連動バー２７も移動することになる。
ストッパ装置２８では、ストッパ部材４３がコイルバネ４２による付勢力でストッパケース３３から突出する作用を生じているので、ストッパ部材４３の先端（閂４６）に対して連動バー２７の閂孔３０が一致したときに、ストッパ部材４３の先端が連動バー２７の閂孔３０に嵌り込むようになる。これにより、連動バー２７は移動不能な状態に拘束される。すなわち、障子３は、全開状態に至る前の中間位置で停止され、この状態を維持するようになる。
【００３７】
障子３の開度を更に開き方向（全開方向）へ変更しようとする場合、或いは全閉状態に戻そうとする場合には、ストッパ装置２８の解放操作部３４を９０°程度回転操作することで、ストッパ部材４３の先端が連動バー２７の閂孔３０から外れるので、連動バー２７及びスライダー１０は移動自在な状態へと解放され、改めて障子３を開閉することができるようになる。
【００３８】
障子３を中間停止させるときの開度やその停止箇所数は、連動バー２７に設ける閂孔３０の形成位置や形成数で対応することができる。例えば、障子３の開度を３０°、４５°、６０°、９０°の４箇所で停止させる場合には、連動バー２７に４箇所以上（開度０°の全閉位置を含めて５箇所としてもよい）に閂孔３０を形成すればよい。なお、９０°を超える開度を設定することも可能である。
【００３９】
このような構成とされたストッパ装置２８では、ブラケット部材３２の制振部３６を、連動バー２７の側面に当接するか又は微少隙間を介して近接するような位置関係に保持して配置することになる。そのため、スライダー１０から延出した連動バー２７は、ストッパ装置２８内を通過する領域で、ブラケット部材３２の制振部３６とストッパケース３３との間で挟持状に保持されることになる。
【００４０】
これにより、連動バー２７は、その移動時に側面が前後に大きく振動するといったことが確実に防止されることになり、移動の安定化や連動バー２７による振動騒音（摩擦音やガタツキ音等）の防止が図られるものとなる。
また、本実施形態では連動バー２７の下面がストッパ装置２８におけるブラケット部材３２の取付ベース３５で支持されていると共に、連動バー２７の上方にはストッパケース３３のオーバーハングした天井部が覆い被さっていることにより、連動バー２７はその上下方向でも挟持状に保持されている。そのため、連動バー２７は、上下方向でもガタツキの生じない安定状態に保持されることになる。
【００４１】
のみならず、このように連動バー２７は前後及び上下の四方が囲まれたことによる制振作用を受けるので、この制振作用が開閉装置４におけるスライダー１０の左右移動をも安定に保持するように派生することになる。結果として、連動バー２７及びスライダー１０の安定移動が障子３の開閉動作をも安定化させるものとなる。
加えて、開閉装置４（障子３を開閉するのに伴って左右移動するスライダー１０）からすれば、連動バー２７によるストッパ装置２８の通過位置を一つの支持点と見なすことができるので、スライダー１０はガイドレール部材２４による自身の支持と合わせて２点支持状態を維持しながら左右移動するのと同じとなり、スライダー１０のこじれ等を防止することに繋がり、これらの結果として、強度の面から補強されていると言うこともできる。
【００４２】
また、このストッパ装置２８は、その作用との関係により、必然的に解放操作部３４が全閉時の障子３よりも手前側（内側）に配置されているものである（図３、図４、図７、図８等参照）。そのため、解放操作部３４を操作する操作者が、全閉させる障子３と窓枠２との間で指詰めを起こすといったことはないという利点を得ることができる。
更に、解放操作部３４は、障子３に設けられた把手２０（図２（ｂ）参照）から見て、開閉装置４よりも可及的に接近するような配置となっているので、操作者は両手で把手２０と解放操作部３４とを操作することが自然体で行えるようになり、操作性が良好となる利点にも繋がっている。
【００４３】
このように本発明装置１は、障子３の開度を全開位置と全閉位置との中間位置に保持できるようにするうえで、障子３の開閉操作はもとより、中間位置への停止状態を解除する操作が極めて円滑且つ容易に行えるものであり、また障子３に生じた外側への引っ張り作用に対して破損等の不具合を未然に防止することができるものである。
なお、本実施形態では、ストッパ装置２８を開閉装置４のベース部材２３と別個独立した構成としてある（セパレートタイプとしている）ので、ストッパ装置２８の交換は、それ自体単独で行えることになる。
【００４４】
ところで、本発明は、前記実施形態に限定されるものではなく、実施の形態に応じて適宜変更可能である。
例えば、ストッパ装置２８において、ストッパ部材４３はコイルバネ４２によって付勢することが限定されるものではなく、連動バー２７の閂孔３０に対してストッパ部材４３の先端を嵌め込む動作も、人為的な操作で行う構造とすることができる。
【００４５】
ストッパ部材４３は、摺動体部４５と閂４６とが一体形成されたものとしてもよい。またストッパ部材４３の先端が連動バー２７の閂孔３０に嵌る構造のみを説明したが、連動バー２７の側面に凹凸を設けておいて、この凹凸の凹の部分にストッパ部材４３の先端が係合するような構造や、ストッパ部材４３の先端で連動バー２７の側面を圧接するような構造などを採用することもできる。これらの場合、当然に連動バー２７の側面に閂孔３０を設ける必要はない。
【００４６】
開閉装置４において、四節リンク機構などの詳細構造については図示したものに限定されるものではなく、適宜変更可能である。要は、障子３の開閉に伴ってスライダー１０が左右移動する構成を備えたものであればよい。
【符号の説明】
【００４７】
１  開度設定装置（本発明装置）
２  窓枠
３  障子
４  開閉装置
１０  スライダー
１１  作動カム
１２  障子側アーム
１３  メインアーム
１４  補助アーム
１６  結合孔
１７  接地側支点
１８  揺動支点
２０  把手
２２  頂壁
２３  ベース部材
２３ａ  ロック孔
２４  ガイドレール部材
２５  負圧受け部材
２７  連動バー
２８  ストッパ装置
３０  閂孔
３２  ブラケット部材
３３  ストッパケース
３４  解放操作部
３５  取付ベース
３６  制振部
３７  覆蓋部
３８  取付ネジ
４１  バネ受け壁
４２  コイルバネ
４３  ストッパ部材
４５  摺動体部
４６  閂
４７  従動軸
４８  カムフォロワー
４９  長孔
５２  カム
５３  カム駆動軸
５４  操作レバー
【図１】
0006666618.tif 000002
【図２】
0006666618.tif 000003
【図３】
0006666618.tif 000004
【図４】
0006666618.tif 000005
【図５】
0006666618.tif 000006
【図６】
0006666618.tif 000007
【図７】
0006666618.tif 000008
【図８】
0006666618.tif 000009